(57)【要約】 【課題】  扉体間の水密性を良くし、任意位置での選択取水を行い、開閉装置の小型化を図る。【解決手段】  堰堤１に形成された取水口部１ａに設けられる選択取水設備である。左右の戸当り４に案内されて昇降する扉体５を、左右の戸当り４間を水平方向に渡された複数の主桁５ａと、これらの主桁５ａ間をつなぐ遮水膜５ｂで構成する。扉体５を構成する最上部の主桁５ａの上方に、この最上部の主桁５ａとで取水口８を形成すべく、整流板７を最上部の主桁５ａに連結する。開閉装置６による前記整流板７の昇降動により、取水口６位置を任意に変更できるように構成する。【効果】  複数の扉体を連係構成した構造に比べて扉体の水密性に優れると共に、扉体の重量が軽量化でき、開閉装置の小型化が可能になる。また、取水口位置を任意に変更できるようになる。【選択図】  図２
2005146694.tif 000002
【特許請求の範囲】
【請求項１】
堰堤に形成された取水口部に設けられる選択取水設備であって、
左右の戸当りに案内されて昇降する扉体を、前記左右の戸当り間を水平方向に渡された複数の主桁と、これらの主桁間をつなぐ遮水膜で構成すると共に、
この扉体を構成する最上部の主桁の上方に、この最上部の主桁とで取水口を形成すべく、整流板を最上部の主桁に連結し、
開閉装置による前記整流板の昇降動により、取水口の位置を任意に変更できるように構成したことを特徴とする遮水膜式選択取水設備。
【発明の詳細な説明】
【技術分野】
【０００１】
本発明は、例えばダム堰堤に形成された取水口部に設けられ、その取水口位置を任意に変更して、ダム貯水池の水を任意の水深から取水可能とする選択取水設備に関するものである。
【背景技術】
【０００２】
この種の選択取水設備として、昇降動可能な複数の扉体をワイヤロープで上下方向に連係させて構成し、最上段の扉体の上昇高さ位置に応じて、最上段の扉体と次段の扉体間、また、これに加えて順次上段側の扉体と下段側の扉体間が開いて、選択取水又は表層取水が行える設備がある。
【特許文献１】実開平６−８４２８号公報
【発明の開示】
【発明が解決しようとする課題】
【０００３】
しかしながら、上記構成の選択取水設備のような複数の扉体を使用する場合、扉体間を締め切る際の水密性に問題がある。また、このような構成では、最上段の扉体の上昇高さ位置に応じて、最上段側から上段側の扉体と下段側の扉体間が順次開くので、例えば中間部のみを選択取水することができない。さらに、扉体重量が重く大型の開閉装置が必要になる。
【０００４】
本発明が解決しようとする問題点は、扉体間の水密性に問題があり、例えば中間部のみといった任意の高さ位置での選択取水ができず、開閉装置の小型化が図れないという点である。
【課題を解決するための手段】
【０００５】
本発明の遮水膜式選択取水設備は、
左右の戸当りに案内されて昇降する扉体を、前記左右の戸当り間を水平方向に渡された複数の主桁と、これらの主桁間をつなぐ遮水膜で構成すると共に、
この扉体を構成する最上部の主桁の上方に、この最上部の主桁とで取水口を形成すべく、整流板を最上部の主桁に連結し、
開閉装置による前記整流板の昇降動により、取水口位置を任意に変更できるように構成したことを最も主要な特徴とするものである。
【発明の効果】
【０００６】
本発明の遮水膜式選択取水設備は、扉体を、左右の戸当り間を水平方向に渡された複数の主桁と、これらの主桁間をつなぐ遮水膜で構成するので、複数の扉体を連係構成した構造に比べて扉体の水密性に優れると共に、扉体の重量が軽量化でき、開閉装置の小型化が可能になる。
【０００７】
また、扉体を構成する最上部の主桁の上方に整流板を連結して取水口を形成したので、開閉装置による前記整流板の昇降動により、扉体が高さ方向に伸縮可能になり、取水口位置を任意に変更できるようになる。
【発明を実施するための最良の形態】
【０００８】
以下、添付図面を用いて、本発明に係る遮水膜式選択取水設備の実施形態について説明する。
図１〜図５は第１の例を示し、図１は概略正面図、図２は図１の側面図、図３は図１の矢視Ａ−Ａ図、図４は整流板の取り付け構造を説明する図、図５は各部の詳細図、図６及び図７は主桁の連結方法の第２の例を示す図である。
【０００９】
図１〜図３において、１は例えばダムの堰堤であり、この堰堤１の上流側面には、取水塔２が設けられている。そして、堰堤１の前記取水塔２の下部に位置する部分には取水口部１ａが設けられ、また、取水塔２の前面には流木等のごみが取水口部１ａに入るのを阻止するためのスクリーン３が取り付けられている。
【００１０】
４は前記取水塔２の両端位置に、上下方向に設けられた１対の戸当りであり、この戸当り４を構成するローラ戸溝４ａに扉体５が案内され、開閉装置６によって昇降動させることで、ダム貯水池の水を取水口部１ａに取り込むようになっている。なお、前記ローラ戸溝４ａに案内されて扉体５が円滑に昇降動するように、扉体５のローラ戸溝４ａとの対向部には例えば主ローラ５ｅとサイドローラ５ｆが取り付けられている。
【００１１】
そして、本発明では、この扉体５を、前記左右に配置された戸当り４間を水平方向に渡した例えば４本の主桁５ａと、これら主桁５ａ同士を連結する連結ロッド５ｇと、この連結ロッド５ｇによって連結された４本の主桁５ａ間をつなぐ遮水膜５ｂとで形成している。
【００１２】
図５（ｅ）に示した例では、前記連結ロッド５ｇは、２本のリンク５ｇａ，５ｇｂを枢支した構造で、逆方向への折れ曲がりを防止するために、一方のリンク５ｇａの前記枢支部５ｇｃにストッパ５ｇｄを取り付けたものを示している。
【００１３】
また、前記主桁５ａに対する遮水膜５ｂの取り付けは、図５（ａ）（ｂ）に示した例では、主桁５ａと膜押さえ板５ｃとで遮水膜５ｂを挟み込み、ボルト・ナット５ｄを用いて、取り付けるものを示している。そして、図５（ｂ）に示した例では、遮水膜５ｂへの応力集中を防止するために、主桁５ａの遮水膜５ｂとの当接面を凹状に、また、膜押さえ板５ｃの遮水膜５ｂとの当接面を凸状に形成したものを示している。なお、前記遮水膜５ｂは水を遮蔽できるものであれば、合成ゴムや合成樹脂等、適宜のものを採用すればよい。
【００１４】
７は前記扉体５を構成する最上部の主桁５ａの上方に所定の間隔を存して配置される、例えば図２に示したように、側面視逆三角形状の整流板であり、この整流板７と最上部の主桁５ａとの間を取水口８となしている。そして、この整流板７は、例えば図４に示したように、ローラ戸溝４ａに案内されて移動するガイドローラ７ａを備えたガイド金物７ｂに、例えば片持ち状に取り付けられ、ローラ戸溝４ａに沿って昇降動が自在なようになっている。
【００１５】
本発明では、この整流板７と前記扉体５とが一体に昇降動できるように、開閉装置６によって整流板７を昇降動させ、この整流板７に扉体５を吊り下げることで、整流板７と扉体５を一体的に昇降動するように構成している。
【００１６】
９は両戸当り４の下流側に設けられた側部ゴム当りであり、前記遮水膜５ｂの両側の水密のために設けられている。この水密性を向上させるために、図５（ｃ）（ｄ）に示した例では、遮水膜５ｂの両側端部を、上流側を切り欠いたリング状に形成したものを示しているが、このような形状に限定されるものではない。
【００１７】
１０は前記整流板７と堰堤１との間に、整流板７の堰堤側端部が当接するように配置された堰堤ゴム当りである。この堰堤ゴム当り１０は、ダム貯水池の水位より整流板７が低い位置にある場合、整流板７と堰堤１との間を水密し、上部からダム貯水池の水が混入することを防止するために設けられている。
【００１８】
本発明に係る遮水膜式選択取水設備は、上記したような構成とすることにより、扉体５が高さ方向に伸縮可能になるので、１組の扉体５で任意の高さ位置の取水が可能になる。また、複数の扉体を連係構成した構造に比べて扉体５の水密性に優れると共に、扉体５の重量を軽量化でき、開閉装置６の小型化が可能になる。
【００１９】
本発明は、上記の形態に限るものではない。例えば連結ロッド５ｇを図５（ｅ）に示したヒンジ式のものに代えて、図６及び図７に示したような、上下に隣り合う２つの主桁５ａが、所定の間隔だけ開くように、それぞれ連結ロッド５ｇで連結したものでも良い。
【００２０】
この図６及び図７に示した構造では、全伸時は、図６（ａ）に示したように、連結ロッド５ｇの両端にそれぞれ主桁５ａが位置する一方、全縮時には、図６（ｂ）に示したように、隣り合う主桁５ａから飛び出した連結ロッド５ｇが他の主桁５ａに当たらないように、他の主桁５ａには、連結ロッド５ｇを貫通する逃がし孔５ａａが設けられている。
このように、本発明の技術的思想の範囲内で、適宜、実施の形態の変更は任意である。
【産業上の利用可能性】
【００２１】
以上の本発明は、ダム貯水池における選択取水に限るものではなく、農業用・かんがい用ため池などの選択取水にも適用できる。
【図面の簡単な説明】
【００２２】
【図１】本発明の遮水膜式選択取水設備の第１の例を示す概略正面図である。
【図２】図１の側面図である。
【図３】図１の矢視Ａ−Ａ図である。
【図４】整流板の取り付け構造を説明する図である。
【図５】各部の詳細図であり、（ａ）は主桁の戸当りとの案内部及び主桁と遮水膜との取り付け関係を説明する図、（ｂ）は主桁と遮水膜との取り付け状態の詳細図、（ｃ）（ｄ）は遮水膜の側部の構造の一例を説明する図、（ｅ）は主桁を連結する連結ロッドの説明図である。
【図６】主桁の連結方法の第２の例を示す図であり、（ａ）は全伸時の正面図、（ｂ）は全縮時の正面図である。
【図７】（ａ）〜（ｄ）は図６（ａ）のＡ−Ａ断面、Ｂ−Ｂ断面、Ｃ−Ｃ断面、Ｄ−Ｄ断面図である。
【符号の説明】
【００２３】
１    堰堤
１ａ    取水口部
４    戸当り
５    扉体
５ａ    主桁
５ｂ    遮水膜
６    開閉装置
７    整流板
８    取水口
【図１】
2005146694.tif 000003
【図２】
2005146694.tif 000004
【図３】
2005146694.tif 000005
【図４】
2005146694.tif 000006
【図５】
2005146694.tif 000007
【図６】
2005146694.tif 000008
【図７】
2005146694.tif 000009